【手続補正書】
【提出日】平成21年6月19日(2009.6.19)
【手続補正１】
【補正対象書類名】特許請求の範囲
【補正対象項目名】請求項８
【補正方法】変更
【補正の内容】
【請求項８】
前記トナーの平均円形度が０．９３０乃至０．９９０であることを特徴とする請求項６又は７に記載の補給用現像剤。
【手続補正２】
【補正対象書類名】明細書
【補正対象項目名】００１５
【補正方法】変更
【補正の内容】
【００１５】
（１）少なくともトナーとキャリアとを含有する二成分現像剤において、
該トナーは少なくとも結着樹脂・着色剤を含有し、粉体状態におけるトナーの分光反射率が、３８０乃至５００ｎｍの範囲で２０％以下であり、かつ、５００ｎｍで１５％以下、６２０乃至７８０の範囲で６０％以上であり、
該キャリアは表面に樹脂成分を有し、真比重が２．５乃至４．２ｇ／ｃｍ3の磁性キャリアであることを特徴とする二成分現像剤。
（２）前記磁性キャリアの体積分布基準の５０％粒径（Ｄ５０）が１５乃至７０μｍであり、１０００／４π（ｋＡ／ｍ）の磁界下における磁化の強さが４０乃至７０Ａｍ2／ｋｇであることを特徴とする（１）に記載の二成分現像剤。
（３）前記着色剤として、Ｃ．Ｉ．ピグメントレッド  ３、９、４８：４、１０４、１１２、１４４、１６６、１６８、１７０、１７７、１７８、２２０、２２１、２５４、Ｃ．Ｉ．ピグメントオレンジ  ５、３４、３６、６１、６４、６７、Ｃ．Ｉ．ピグメントイエロー  ８３、１３９、１５３から選ばれる１種又は２種以上を含有することを特徴とする（１）または（２）のいずれかに記載の二成分現像剤。
（４）前記トナーの平均円形度が０．９３０乃至０．９９０であることを特徴とする（１）〜（３）のいずれかに記載の二成分現像剤。
（５）前記トナーがさらにワックスを含有し、トナーの示差走査熱量分析（ＤＳＣ）測定における吸熱曲線において、温度３０乃至２００℃に１個または複数の吸熱ピークを有し、該吸熱ピーク中の最大吸熱ピークのピーク温度が５５乃至１４０℃にあることを特徴とする（１）〜（４）のいずれかに記載の二成分現像剤。
（６）少なくともトナーとキャリアを含有する補給用現像剤を現像器に補給しながら現像し、現像器内部で過剰になったキャリアを必要に応じて少なくとも現像器から排出する二成分現像方法に使用するための補給用現像剤であって、
該補給用現像剤は、キャリア１質量部に対して少なくとも結着樹脂及び着色剤を含有するトナーを２乃至５０質量部の配合割合で含有し、該キャリアは表面に樹脂成分を有し、真比重が２．５乃至４．２ｇ／ｃｍ3、体積分布基準の５０％粒径（Ｄ５０）が１５乃至７０μｍであり、真比重が２．５乃至４．２ｇ／ｃｍ3であり、１０００／４π（ｋＡ／ｍ）の磁界下における磁化の強さが４０乃至７０Ａｍ2／ｋｇであり、
該トナーは、少なくとも結着樹脂、着色剤を含有し、粉体状態におけるトナーの分光反射率が、３８０乃至５００ｎｍの範囲で２０％以下であり、かつ、５００ｎｍで１５％以下、６２０ｎｍ乃至７８０ｎｍの範囲で６０％以上であることを特徴とする補給用現像剤。
（７）前記着色剤として、少なくともＣ．Ｉ．ピグメントレッド  ３、９、４８：４、１０４、１１２、１４４、１６６、１６８、１７０、１７７、１７８、２２０、２２１、２５４、ピグメントオレンジ  ５、３４、３６、６１、６４、６７、Ｃ．Ｉ．ピグメントイエロー  ８３、１３９、１５３のうちの一つを含有することを特徴とする（６）に記載の補給用現像剤。
（８）前記トナーの平均円形度が０．９３０乃至０．９９０であることを特徴とする（６）〜（７）のいずれかに記載の補給用現像剤。
（９）前記トナーがさらにワックスを含有し、トナーの示差走査熱量分析（ＤＳＣ）測定における吸熱曲線において、
温度３０乃至２００℃の範囲に１個または複数の吸熱ピークを有し、該吸熱ピーク中の最大吸熱ピークのピーク温度が５５乃至１４０℃の範囲にあることを特徴とする（６）〜（８）のいずれかに記載の補給用現像剤。
【手続補正３】
【補正対象書類名】明細書
【補正対象項目名】００２９
【補正方法】変更
【補正の内容】
【００２９】
マゼンタトナー用着色顔料としては、縮合アゾ化合物、ジケトピロロピロール化合物、アンスラキノン、キナクリドン化合物、塩基染料レーキ化合物、ナフトール化合物、ベンズイミダゾロン化合物、チオインジゴ化合物、ペルリン化合物が挙げられる。
【手続補正４】
【補正対象書類名】明細書
【補正対象項目名】００５９
【補正方法】変更
【補正の内容】
【００５９】
また、前記酸化チタン微粉末の例には、硫酸法、塩素法、揮発性チタン化合物、例えばチタンアルコキシド、チタンハライド、チタンアセチルアセトネートの低温酸化（熱分解、加水分解）により得られる酸化チタン微粒子が含まれる。結晶系酸化チタン微粉末としてはアナターゼ型、ルチル型、これらの混晶型、アモルファスの酸化チタン微粉末が挙げられる。
【手続補正５】
【補正対象書類名】明細書
【補正対象項目名】００９９
【補正方法】変更
【補正の内容】
【００９９】
有機溶媒は、沸点が１００℃未満の揮発性であることが、トナー母体粒子形成後の除去が容易である点から好ましい。具体的には、トルエン、キシレン、ベンゼン、四塩化炭素、塩化メチレン、１，２−ジクロロエタン、１，１，２−トリクロロエタン、トリクロロエチレン、クロロホルム、モノクロロベンゼン、ジクロロエチリデン、酢酸メチル、酢酸エチル、メチルエチルケトン、メチルイソブチルケトンなどを単独あるいは２種以上組合せて用いることができる。特に、トルエン、キシレン等の芳香族系溶媒および塩化メチレン、１，２−ジクロロエタン、クロロホルム、四塩化炭素等のハロゲン化炭化水素が好ましい。有機溶媒の使用量は、ポリエステルプレポリマー１００質量部に対し、通常０乃至３００質量部、好ましくは０乃至１００質量部、さらに好ましくは２５乃至７０質量部である。
【手続補正６】
【補正対象書類名】明細書
【補正対象項目名】０１０１
【補正方法】変更
【補正の内容】
【０１０１】
トナー材料液１００質量部に対する水系媒体の使用量は、通常５０乃至２０００質量部、好ましくは１００乃至１０００質量部である。５０質量部未満ではトナー材料液の分散状態が悪く、所定の粒径のトナー粒子が得られない。２００００質量部を超えると経済的でない。
【手続補正７】
【補正対象書類名】明細書
【補正対象項目名】０１１８
【補正方法】変更
【補正の内容】
【０１１８】
トナーの平均円形度が０．９３０より低い場合には、耐久後に転写効率の低下による画像濃度の低下や、現像時にトナー形状の不均一性による画像のムラが生じることがある。トナーの平均円形度が０．９９０より高いと、その球形状のため、転写・定着時にトナーが転写ベルト上や紙上で移動してしまい画像が乱れてしまう。
【手続補正８】
【補正対象書類名】明細書
【補正対象項目名】０１４３
【補正方法】変更
【補正の内容】
【０１４３】
荷電制御性を有する粒子は、具体的には、ポリメチルメタクリレート樹脂の粒子、ポリスチレン樹脂の粒子、メラミン樹脂の粒子、フェノール樹脂の粒子、ナイロン樹脂の粒子、シリカの粒子、酸化チタンの粒子、及びアルミナの粒子から選ばれる少なくとも一種以上の粒子を含有する粒子であることが好ましい。また、無機の粒子の場合には、各種のカップリング剤で処理して用いることが、荷電制御性や導電性を発現するために好ましい。
【手続補正９】
【補正対象書類名】明細書
【補正対象項目名】０２２３
【補正方法】変更
【補正の内容】
【０２２３】
〔トナー製造例１〕
・上記結着樹脂                                                    １００質量部
・パラフィンワックス（融点７８℃、数平均分子量５９２）                ５質量部
・３、５−ジ−ｔ−ブチルサリチル酸アルミニウム化合物                  １質量部
・Ｃ．Ｉ．Ｐｉｇｍｅｎｔ  Ｒｅｄ  １７７                              ４質量部
・Ｃ．Ｉ．Ｐｉｇｍｅｎｔ  Ｒｅｄ  １６８                              ４質量部
上記材料をヘンシェルミキサー（ＦＭ−７５型、三井三池化工機（株）製）でよく混合した後、温度１３０℃に設定した二軸混練機（ＰＣＭ−３０型、池貝鉄工（株）製）にて混練した。得られた混練物を冷却し、ハンマーミルにて１ｍｍ以下に粗粉砕し、粗砕物を得た。得られた粗砕物を、高圧気体を用いた衝突式気流粉砕機（日本ニューマチック工業社製ＩＤＳ−５型）を用いて微粉砕した。得られた微粉砕物は、重量平均粒径（Ｄ４）が５．９μｍであり、平均円形度は０．９２２であった。